(57)【要約】【課題】店舗内を無駄に歩き回ることなく、通信端末を有するユーザが目的の商品を容易に見つけることのできるナビゲーション情報提供システムおよびを提供する。【解決手段】店舗に設置され、ＩＤ情報を発信する発信部１１−ｎ、発信部１１−ｎの設置位置情報を記憶する発信部位置データベース１２、商品の陳列位置情報を記憶する商品位置データベース１３、商品情報に基づいて商品の陳列位置情報と発信部１１−ｎの設置位置情報を各データベースから抽出し、通信端末２０へ送信する制御部１４と、ＩＤ情報を受信し、商品情報を制御部１４へ送信し、制御部１４から送信される設置位置情報と陳列位置情報を受信し、ＩＤ情報と設置位置情報に基づいて現在位置を算出し、現在位置情報と陳列位置情報とを比較し、現在位置から商品の陳列位置へのナビゲーション情報を生成して表示手段２６に表示する制御手段２１とを備える。【選択図】図１
2006268877.tif 000002
【特許請求の範囲】
【請求項１】
店舗に設置され、近傍領域に存在する通信端末に対して識別情報を発信する複数の発信部と、
該発信部の設置位置情報を記憶する発信部位置データベースと、
前記店舗における商品の陳列位置情報を記憶する商品位置データベースと、
前記通信端末から送信される商品情報に基づいて、対応する商品の陳列位置情報を前記商品位置データベースから抽出するとともに、前記発信部の設置位置情報を前記発信部位置データベースから抽出し、各位置情報を前記通信端末へ送信する制御部と
を備えたことを特徴とするナビゲーション情報提供システム。
【請求項２】
前記制御部は、前記商品情報に基づいて、所定の店舗における商品の在庫を確認し、在庫情報を前記通信端末へ送信することを特徴とする請求項１に記載のナビゲーション情報提供システム。
【請求項３】
前記店舗が複数ある場合に、前記制御部は、さらに通信端末から送信される店舗情報に基づいて、対応する店舗における商品の在庫を確認することを特徴とする請求項２に記載のナビゲーション情報提供システム。
【請求項４】
前記制御部は、在庫確認の結果、前記商品の在庫がなかった場合、他の店舗における当該商品の在庫を確認することを特徴とする請求項３に記載のナビゲーション情報提供システム。
【請求項５】
前記制御部は、前記店舗の位置を示す店舗位置情報を前記通信端末へ送信することを特徴とする請求項１乃至請求項４のいずれかに記載のナビゲーション情報提供システム。
【請求項６】
店舗に設置された発信部から識別情報を受信する識別情報受信手段と、
商品情報を入力する入力手段と、
該入力手段により入力した商品情報を通信接続された制御部へ送信する商品情報送信手段と、
前記商品情報に基づく店舗における商品の陳列位置情報及び前記発信部の設置位置情報を受信する位置情報受信手段と、
前記発信部から受信した識別情報及び前記位置情報受信手段から受信した発信部の設置位置情報に基づいて現在位置情報を算出する現在位置算出手段と、
算出された現在位置情報と前記受信した陳列位置情報とを比較して、現在位置から前記商品の陳列位置へのナビゲーション情報を生成するナビゲーション情報生成手段と、
生成されたナビゲーション情報を閲覧可能に表示する表示手段と
を備えたことを特徴とする通信端末。
【発明の詳細な説明】
【技術分野】
【０００１】
本発明は、ナビゲーションシステムに係わり、特に、店舗内における商品の陳列場所へのナビゲーションに好適なナビゲーション情報提供システム及び通信端末に関する。
【背景技術】
【０００２】
従来、広告等に掲載された商品の購入を希望する消費者は、実際に広告対象の店舗に出向き、まず、当該店舗内の商品の配置について情報を有していない場合には、店内に設置された店舗案内図あるいはパンフレット等を見て目的の商品の陳列棚があると思われるエリアを捜し、次いで、その陳列棚内を捜して目的の商品を見つけていた。
【発明の開示】
【発明が解決しようとする課題】
【０００３】
しかしながら、上記従来方法では、電気製品を扱う店舗の場合、店舗案内図等には冷房器具、暖房器具、オーディオ機器、ビジュアル機器といった商品のカテゴリ毎に陳列棚の場所が記載されていて、商品毎の陳列棚の場所までは記載されていなかった。そのため、商品のカテゴリが明確でない場合、消費者は目的の商品をなかなか見つけることができず、結果として店舗内を無駄に歩き回るといった問題があった。
【０００４】
また、上記従来方法では、消費者は常に周囲に目を配り、店舗案内図における現在地を見失わないようにしなければならず、目的の商品の捜索に専念することができないといった問題があった。
さらに、近年はベットタウン等の郊外に大型の店舗が多く出店されており、このような大型の店舗の場合、上記問題点はより顕著となり、消費者に対する利便性が著しく低下する。
【０００５】
本発明は、上記問題点に鑑みてなされたもので、店舗内を無駄に歩き回ることなく、通信端末を有するユーザが目的の商品を容易に見つけることのできるナビゲーション情報提供システム及び通信端末を提供することを目的とする。
【課題を解決するための手段】
【０００６】
上記目的を達成するために、本発明のナビゲーション情報提供システムは、店舗に設置され、近傍領域に存在する通信端末に対して識別情報を発信する複数の発信部と、該発信部の設置位置情報を記憶する発信部位置データベースと、前記店舗における商品の陳列位置情報を記憶する商品位置データベースと、前記通信端末から送信される商品情報に基づいて、対応する商品の陳列位置情報を前記商品位置データベースから抽出するとともに、前記発信部の設置位置情報を前記発信部位置データベースから抽出し、各位置情報を前記通信端末へ送信する制御部とを備えたことを特徴とする。
【０００７】
この発明によれば、発信部が近傍領域に識別情報を発信可能であるので、この近傍領域に通信端末を有するユーザが入ると、その通信端末により識別情報が受信される。他方、通信端末から商品情報を受信すると、制御部が商品情報に対応する商品の陳列位置情報及び発信部の設置位置情報を通信端末へ送信する。これにより、通信端末では、当該識別情報と設置位置情報とから現在位置情報の算出が可能となり、現在位置情報と陳列位置情報との比較から現在位置から商品の陳列位置へのナビゲーション情報を生成することが可能となる。
したがって、生成されたナビゲーション情報を端末に表示することにより、ユーザを商品の陳列位置までナビゲーションすることができる。
【０００８】
また、本発明のナビゲーション情報提供システムは、上記発明において、制御部は、商品情報に基づいて、所定の店舗における商品の在庫を確認し、在庫情報を通信端末へ送信することを特徴とする。
【０００９】
この発明によれば、制御部が商品情報に応じて、所定の店舗における商品の在庫情報を通信端末へ送信する。これにより、通信端末では、商品情報に基づいた所定の店舗における商品の在庫情報を端末に表示することが可能となり、ユーザに商品の在庫情報を提示することができる。
【００１０】
また、本発明のナビゲーション情報提供システムは、上記発明において、店舗が複数ある場合に、制御部は、さらに通信端末から送信される店舗情報に基づいて、対応する店舗における商品の在庫を確認することを特徴とする。
【００１１】
この発明によれば、制御部が通信端末から送信される店舗情報に対応する店舗における商品の在庫を確認するので、通信端末では、同一商品が複数の店舗で取り扱われている場合に、店舗情報により特定の店舗における商品の在庫情報を端末に表示することが可能となり、ユーザに店舗情報に対応する特定の店舗における商品の在庫情報を提示することができる。
【００１２】
また、本発明のナビゲーション情報提供システムは、上記発明において、制御部は、在庫確認の結果、商品の在庫がなかった場合、他の店舗における当該商品の在庫を確認することを特徴とする。
【００１３】
この発明によれば、制御部が特定の店舗における商品の在庫がない場合に、他の店舗における当該商品の在庫を確認するので、通信端末では、送信した店舗情報の店舗に商品の在庫がない場合に、他の店舗における商品の在庫情報を端末に表示することが可能となり、ユーザに店舗情報に対応する特定の店舗以外の店舗における商品の在庫情報を提示することができる。
【００１４】
また、本発明のナビゲーション情報提供システムは、上記発明において、制御部は、店舗の位置を示す店舗位置情報を通信端末へ送信することを特徴とする。
この発明によれば、制御部が店舗の位置情報を通信端末に送信するので、通信端末では、店舗の位置情報を端末に表示することが可能となり、ユーザに店舗の位置情報を提示することができる。
【００１５】
また、上記目的を達成するために、本発明の通信端末は、店舗に設置された発信部から識別情報を受信する識別情報受信手段と、商品情報を入力する入力手段と、該入力手段により入力した商品情報を通信接続された制御部へ送信する商品情報送信手段と、前記商品情報に基づく店舗における商品の陳列位置情報及び前記発信部の設置位置情報を受信する位置情報受信手段と、前記発信部から受信した識別情報及び前記位置情報受信手段から受信した発信部の設置位置情報に基づいて現在位置情報を算出する現在位置算出手段と、算出された現在位置情報と前記受信した陳列位置情報とを比較して、現在位置から前記商品の陳列位置へのナビゲーション情報を生成するナビゲーション情報生成手段と、生成されたナビゲーション情報を閲覧可能に表示する表示手段とを備えたことを特徴とする。
【００１６】
この発明によれば、識別情報受信手段が発信部から識別情報を受信する。他方、商品情報送信手段が入力手段により入力された商品情報を制御部へ送信すると、位置情報受信手段がその商品の陳列位置情報及び発信部の設置位置情報を受信する。そして、現在位置算出手段が発信部から受信した識別情報と位置情報受信手段から受信した設置位置情報とから現在位置情報を算出し、ナビゲーション情報生成手段が現在位置情報と陳列位置情報とを比較して、現在位置から商品の陳列位置へのナビゲーション情報を生成し、生成されたナビゲーション情報を表示手段が端末に表示する。これにより、通信端末を有するユーザを商品の陳列位置までナビゲーションすることができる。
【００１７】
また、本発明の通信端末は、上記発明において、商品情報に基づいて商品の在庫情報を受信する在庫情報受信手段を備え、表示手段は、前記受信した在庫情報を閲覧可能に表示することを特徴とする。
【００１８】
この発明によれば、在庫情報受信手段が商品情報に基づく商品の在庫情報を受信し、表示手段がその商品の在庫情報を端末に表示する。これにより、ユーザに商品の在庫情報を提示することができる。
【００１９】
また、本発明の通信端末は、上記発明において、店舗が複数ある場合に、前記商品情報に加えて店舗情報を送信する店舗情報送信手段を備え、在庫情報受信手段は、店舗情報及び商品情報に基づく商品の在庫情報を受信することを特徴とする。
【００２０】
この発明によれば、店舗が複数ある場合、店舗情報送信手段が商品情報に加えて店舗情報を送信し、在庫情報受信手段が店舗情報に対応する店舗における商品の在庫情報を受信する。そして、表示手段が受信した在庫情報を端末に表示する。これにより、ユーザに店舗情報に応じた特定の店舗における商品の在庫情報を提示することができる。
【００２１】
また、本発明の通信端末は、上記発明において、衛星から送信される測位情報に基づいて現在位置情報を算出する第２の現在位置算出手段と、店舗の位置情報を受信する店舗位置受信手段と、前記第２の現在位置算出手段により算出された現在位置情報と前記受信した店舗の位置情報とを比較して、現在位置から前記店舗の位置までのナビゲーション情報を生成する第２のナビゲーション情報生成手段とを備えたことを特徴とする。
【００２２】
この発明によれば、第２の現在位置算出手段が衛星からの測位情報に基づいて現在位置情報を算出する。他方、店舗位置受信手段が店舗の位置情報を受信する。そして、第２のナビゲーション情報生成手段が現在位置情報と店舗の位置情報とを比較して、現在位置から店舗の位置までのナビゲーション情報を生成し、生成されたナビゲーション情報を表示手段が端末に表示する。これにより、通信端末を有するユーザを店舗までナビゲーションすることができる。
【発明の効果】
【００２３】
本発明のナビゲーション情報提供システムによれば、発信部が近傍領域に識別情報を発信するので、この近傍領域内の通信端末によりその識別情報は受信される。他方、通信端末から商品情報を受信すると、制御部が商品情報に対応する商品の陳列位置情報及び発信部の設置位置情報を通信端末へ送信するので、通信端末では、当該識別情報と設置位置情報とから現在位置情報の算出が可能となり、現在位置情報と陳列位置情報との比較から現在位置から商品の陳列位置へのナビゲーション情報を生成することが可能となる。
したがって、生成されたナビゲーション情報を端末に表示することにより、通信端末を有するユーザを商品の陳列位置までナビゲーションすることができ、ユーザは商品の陳列場所が分からない初めての店舗や大規模な店舗でも迷うことなく希望の商品を容易に見つけることができる。
【００２４】
また、本発明のナビゲーション情報提供システムにおいて、制御部が商品情報に応じて、所定の店舗における商品の在庫情報を通信端末へ送信すれば、通信端末では、商品情報に基づいた所定の店舗における商品の在庫情報を端末に表示することが可能となり、ユーザは事前に希望の商品の在庫の有無を知ることができ、商品が売り切れているのを知らずに店舗に出向いてしまうといった不利益を被ることがなくなる。
【００２５】
また、本発明のナビゲーション情報提供システムにおいて、制御部が通信端末から送信される店舗情報に対応する店舗における商品の在庫を確認すれば、通信端末では、店舗情報に応じた特定の店舗における商品の在庫情報を端末に表示することが可能となり、ユーザは複数の店舗で希望の商品が取り扱われている場合でも、最寄りの店舗における商品の在庫を迅速に確認することができる。
【００２６】
また、本発明のナビゲーション情報提供システムにおいて、制御部が特定の店舗における商品の在庫がない場合に、他の店舗における当該商品の在庫を確認すれば、通信端末では、送信した店舗情報の店舗に商品の在庫がない場合に、他の店舗における商品の在庫情報を端末に表示することが可能となり、ユーザは最寄りの店舗に希望の商品の在庫がない場合でも、その商品の他店舗における在庫の有無を容易に確認することができ、他店舗に在庫がある場合には、その店舗に出向いてその商品を購入することができる。
【００２７】
また、本発明のナビゲーション情報提供システムにおいて、制御部が店舗の位置情報を通信端末に送信するので、通信端末では、店舗の位置情報を端末に表示することが可能となり、ユーザは端末上に表示された店舗の位置情報に従い、初めての店舗でも迷うことなく、その店舗に容易に行くことができる。
【００２８】
また、本発明の通信端末よれば、識別情報受信手段が発信部から識別情報を受信する。他方、商品情報送信手段が入力手段により入力された商品情報を制御部へ送信すると、位置情報受信手段がその商品の陳列位置情報及び発信部の設置位置情報を受信し、現在位置算出手段が発信部から受信した識別情報と位置情報受信手段から受信した設置位置情報とから現在位置情報を算出し、ナビゲーション情報生成手段が現在位置情報と陳列位置情報とを比較して、現在位置から商品の陳列位置へのナビゲーション情報を生成する。生成されたナビゲーション情報を表示手段が端末に表示するので、通信端末を有するユーザを商品の陳列位置までナビゲーションすることができる。
したがって、ユーザは商品の陳列場所が分からない初めての店舗や大規模な店舗でも迷うことなく希望の商品を容易に見つけることができる。
【００２９】
また、本発明の通信端末において、在庫情報受信手段が商品情報に基づく商品の在庫情報を受信し、表示手段がその商品の在庫情報を端末に表示すれば、ユーザは事前に希望の商品の在庫の有無を知ることができ、商品が売り切れているのを知らずに店舗に出向いてしまうといった不利益を被ることがなくなる。
【００３０】
また、本発明の通信端末において、店舗が複数ある場合、店舗情報送信手段が商品情報に加えて店舗情報を送信し、在庫情報受信手段が店舗情報に対応する店舗における商品の在庫情報を受信し、表示手段が受信した在庫情報を端末に表示すれば、ユーザは複数の店舗で希望の商品が取り扱われている場合でも、最寄りの店舗における商品の在庫を迅速に確認することができる。
【００３１】
また、本発明の通信端末において、第２の現在位置算出手段が衛星からの測位情報に基づいて現在位置情報を算出し、他方、店舗位置受信手段が店舗の位置情報を受信し、第２のナビゲーション情報生成手段が現在位置情報と店舗の位置情報とを比較して、現在位置から店舗の位置までのナビゲーション情報を生成し、生成されたナビゲーション情報を表示手段が端末に表示すれば、通信端末を有するユーザを店舗のまでナビゲーションすることができ、ユーザは初めての店舗でも迷うことなく、その店舗に容易に行くことができる。
【発明を実施するための最良の形態】
【００３２】
以下、本発明の実施の形態について図面を参照して説明する。
図１は本発明の一実施形態によるナビゲーション情報提供システム及び通信端末を用いたナビゲーションシステム（以下、「本システム」と称す）全体の構成を示したブロック図である。この図において、符号１０は本実施形態によるナビゲーション情報提供システムである。２０は本実施形態による携帯電話（通信端末）であり、ユーザ２０ａが有している。５０は携帯電話２０と無線通信する基地局、６０はナビゲーション情報提供システム１０と基地局５０とを通信接続するネットワークであり、例えば携帯電話回線網である。
本システムでは、ユーザ２０ａが、例えば新聞の折り込み広告に掲載された商品の中から特定の商品の商品情報を携帯電話２０を介してナビゲーション情報提供システム１０に送信すると、その商品を取り扱う店舗内において、携帯電話２０はナビゲーション情報提供システム１０から送信される情報に基づいて商品の陳列場所を示すナビゲーション情報を表示するようになっている。
【００３３】
ここで、商品情報とは、各商品に固有の識別情報であり、例えば、ＪＡＮ（Japanese Article Number）コードである。ＪＡＮコードは日本国内共通の商品コードで、ＰＯＳ（Point Of Sales）システム等において広く利用されている。このＪＡＮコードは、１３桁の数字からなり、通常はバーコードとして商品のパッケージ等に印刷されているものである。
図２は新聞の折り込み広告の掲載内容の一例を示した図である。この図において、折り込み広告６０は、Ｓスーパーにおける大売り出しの広告であり、売り出し商品の画像６１（例えばシャツの画像）と、その商品名６２（Ｔシャツ）と価格６３（￥９８０）及びＪＡＮコード６４（商品情報：４９１２３４５６７８９０４）がそれぞれ掲載されている。また、この広告６０の対象店舗は複数あり、店舗名６５（例えばＹ店）と、その店舗コード６６（店舗情報：１２３４）がそれぞれ掲載されている。
【００３４】
図１に戻って、ナビゲーション情報提供システム１０は、店舗に設置され、ＩＤ（Identification）情報（識別情報）を発信する複数の発信部１１−ｎ（ｎ＝１、２、・・・）と、発信部１１−ｎの設置位置情報を記憶する発信部位置データベース１２と、店舗内の商品の陳列位置情報を記憶する商品位置データベース１３と、制御部１４及びネットワーク６０を介して各種データを送受信する通信制御部１５とから構成され、携帯電話２０から送信される店舗情報と商品情報に応じて、その店舗内における商品の陳列位置情報及び各発信部の設置位置情報を携帯電話２０へ送信するとともに、その店舗内の携帯電話２０に対して目的商品のＩＤ情報を発信する。
【００３５】
発信部１１−ｎは、ＩＤ情報を記憶するメモリ１１ａ、メモリ１１ａからＩＤ情報を読み出して所定の微弱電波（近距離無線信号）によりＩＤ情報を発信する発信器１１ｂから構成され、設置場所の近傍のエリアに対する発信領域を有している。ＩＤ情報は各発信部に固有の情報であり、例えばアルファベットと数字を組み合わせた文字列「Ａ００１」で示され、このＩＤ情報により発信部１１−ｎを識別できるようになっている。各発信部は、携帯電話２０が店舗内のいずれの場所においても少なくとも１以上のＩＤ情報を受信できるよう、その発信領域に応じて設置される。また、上記微弱電波は、携帯電話２０と基地局５０間で使用する無線通信の周波数と異なる周波数を使用することで、携帯電話２０の通常使用による無線通信との混信を防ぐことができる。
【００３６】
なお、本実施形態では、発信部１１−ｎは携帯電話２０から発信される電磁波（無線信号）を受信して、その信号を動作用の電力に変換する図示しない発電手段を備え、この電力を利用して発信動作を行う。これにより、バッテリ使用時におけるバッテリ交換や、外部電源として一般の家庭用コンセントからの電源（ＡＣ１００Ｖ）使用時における停電に対するバックアップ等のメンテナンスが不要になり、システム管理者の負担が軽減される。また、発信部１１−ｎは携帯電話２０からの電波を受信したときだけＩＤ情報を発信するので、不要な電波の発信による他の機器（例えばペースメーカ等の医療機器）に対する誤動作等の影響を低減することができる。
【００３７】
発信部位置データベース１２は、例えば図３に示すように、店舗名６５、店舗コード６６、ＩＤ情報７２と関連づけて、各店舗に設置された発信部１１−ｎの設置場所を示す設置位置情報７１を記憶している。
商品位置データベース１３は、例えば図４に示すように、店舗名６５、店舗コード６６、ＪＡＮコード６４と関連付けて、各店舗における商品の陳列場所を示す陳列位置情報８１を記憶している。
【００３８】
上記各位置情報はそれぞれ座標値であり、店舗毎に設定された座標系と対応付けられている。図５は、店舗毎に設定された座標系の一例を示した図で、店舗の領域を示す図形９０の一頂点９１を基準点（Ｘ，Ｙ）＝（０，０）とし、基準点からの東西方向の距離をＸ（ｃｍ）、他方、南北方向の距離をＹ（ｃｍ）として座標系が設定されている。例えば発信部９２の設置位置情報７１の座標（Ｘ，Ｙ）＝（５１０，９２０）、商品９３の陳列位置情報８１の座標（Ｘ，Ｙ）＝（４００，５２０）である。
なお、本実施形態では陳列位置情報８１に、例えばその店舗における商品陳列棚、階段等に対応する図形の位置情報（座標値）が付加されていて、携帯電話２０では商品の陳列位置情報とともにそれらの図形情報の表示することで、より実際の店舗に近いイメージのナビゲーション情報をユーザ２０ａに提示できる。
【００３９】
制御部１４は、ナビゲーション情報提供システム１０の各部を制御し、携帯電話２０から送信されるＪＡＮコード６４に基づいて、その商品の陳列位置情報を商品位置データベース１３から抽出する機能と、発信部１１−ｎの設置位置情報を発信部位置データベース１２から抽出する機能と、抽出された各位置情報を携帯電話２０へ送信する機能とを有する。
なお、本実施形態では、制御部１４は携帯電話２０から送信されるＪＡＮコード６４に基づいて、通信接続された図示しない所定の在庫管理システムにアクセスして、その商品の在庫情報を確認して、その在庫情報を携帯電話２０へ送信する機能を有する。したがって、携帯端末２０ではその在庫情報を表示することで、ユーザ２０ａは商品の在庫の有無を確認できる。
また、ナビゲーション情報提供システム１０には特定の電話番号が割り当てられていて、携帯電話２０からその特定の電話番号をダイヤルすることでアクセス可能になっている。また、発信部１１−ｎを除くナビゲーション情報提供システム１０の各部は、例えばワークステーション等のサーバ装置を構成することができる。この場合、制御部１４及び通信制御部１５の機能は、それらの機能を実現するためのプログラム（図示せず）をサーバ装置内のメモリにロードして、ＣＰＵ（中央演算処理装置）で実行することにより実現し、各データベース１２、１３は、それぞれサーバ装置内のハードディスク装置や光磁気ディスク装置、フラッシュメモリなどの不揮発性メモリや、ＲＡＭ（Random Access Memory）のような揮発性メモリにより実現できる。
【００４０】
携帯電話２０は、制御手段（現在位置算出手段、ナビゲーション情報生成手段、識別情報受信手段、商品情報送信手段、位置情報受信手段、在庫情報受信手段、店舗情報送信手段）２１、設置位置情報７１や陳列位置情報８１、電話番号等の各種データを記憶するメモリ２２、アンテナ２３ａから無線信号を送受信する送受信手段２３、送受信手段２３により送受信される無線信号から各種データ信号や音声信号を変復調する信号処理手段２４、ＪＡＮコード６４や電話番号等を入力する数字キー等からなる入力手段２５、ナビゲーション情報や在庫情報、電話番号やメール等を表示する表示手段２６、信号処理手段２４による復調された音声や着信メロディを出力するスピーカ２７、音声を入力するマイク２８等から構成される。
また、この携帯電話２０は、通常は無線通信による電話機として動作するが、この動作についての詳細な説明は省略する。
【００４１】
制御手段２１は、携帯電話２０の各部を制御し、各発信部１１−ｎから発信されるＩＤ情報を受信する機能と、ユーザ２０ａから入力手段２５を介して入力されたＪＡＮコード６４をナビゲーション情報提供システム１０へ送信する機能と、ナビゲーション情報提供システム１０から送信される所定の店舗における商品の陳列位置情報と、その店舗に設置された各発信部１１−ｎの設置位置情報を受信する機能と、ＩＤ情報及び設置位置情報に基づいて現在位置情報を算出する機能と、現在位置情報と陳列位置情報とを比較して現在位置から商品の陳列位置へのナビゲーション情報を生成する機能と、表示手段２６を介してナビゲーション情報を閲覧可能に表示する機能とを有する。
なお、制御手段１１の各機能は、例えばメモリ及びＣＰＵ（中央演算処理装置）により構成され、制御手段１１の各機能を実現するためのプログラム（図示せず）をメモリにロードして実行することによりその機能を実現することができる。
【００４２】
次に、本実施形態によるナビゲーションシステムの動作について図６〜図８を参照して説明する。
まず、ユーザ２０ａが入力手段２５から所定のキーを押下すると（図６のステップＳ１）、制御手段２１は、携帯電話２０の機能を通常の電話機能から切り替えて本システムによるナビゲーション機能を起動し、表示手段２６へ所定の入力画面を表示する（ステップＳ２）。表示された入力画面に対して、ユーザ２０ａが折り込み広告６０の掲載商品から選択した商品のＪＡＮコード６４と特定の店舗コード６６を入力すると（ステップＳ３）、制御手段２１は、特定の電話番号に発信してナビゲーション情報提供システム１０と通信接続し、入力されたＪＡＮコードと６４店舗コード６６を送信する（ステップＳ４）。
なお、広告６０のＪＡＮコード６４をバーコードにより掲載し、上記入力手段２５にバーコードリーダ機能を設けると、ユーザ２０ａはバーコードリーダによりＪＡＮコードの入力を簡単に行うことができ、１つ１つ数字を入力する場合と比べて人為的な入力ミスを低減できる。
【００４３】
制御部１４は、送信された商品のＪＡＮコード６４と特定の店舗コード６６に基づいてＳスーパーの在庫管理装置にアクセスして商品の在庫確認を行い（ステップＳ５）、在庫の有無を携帯電話２０へ送信する（ステップＳ６）。この在庫確認結果は、制御手段２１により表示手段２６へ表示される（ステップＳ７）。
なお、ステップＳ５で在庫がなかった場合、制御部１４は他の店舗における商品の在庫確認を行い、その結果を携帯電話２０へ送信するとよい。これにより、ユーザ２０ａに対して商品の在庫がある店舗を提示することができる。
【００４４】
ユーザ２０ａが商品の在庫があることを確認し、入力手段２５から確認ＯＫを指示すると（ステップＳ８）、制御手段２１はその商品のナビゲーションに必要な情報の利用要求をナビゲーション情報提供システム１０へ送信するとともに、上記入力されたＪＡＮコード６４と店舗コード６６をメモリ２２に格納する（ステップＳ９）。制御部１４は、送信された利用要求に応じて携帯電話２０へ受理確認通知を送信する（ステップＳ１０）。制御手段２１は、受理確認通知を受信してナビゲーション情報提供システム１０との通信接続を切断する（ステップＳ１１）。
【００４５】
ここで、ユーザ２０ａは携帯電話２０を携帯して上記特定の店舗に向かう。
なお、制御部１４は、携帯電話２０から利用要求に基づいて商品の在庫情報を所定のタイミングで確認を行い、在庫がなくなった場合は、上記通信接続の履歴情報に基づいて携帯電話２０に発信して、その旨を通知するとよい。これにより、ユーザ２０ａは店舗に向かう間に商品が売り切れたことを知ることができ、途中で引き返したり、あるいは他の店舗に在庫があればその店舗に行き先を変更したりすることが可能となる。
【００４６】
店舗に到着し、ユーザ２０ａが所定のキーを押下すると（図７のステップＳ２１）、制御手段２１はナビゲーション機能を起動してナビゲーション情報提供システム１０と通信接続する（ステップＳ２２）。そして、メモリ２２に格納されたＪＡＮコード６４と店舗コード６６を読み出して（ステップＳ２３）、ナビゲーション情報提供システム１０へ送信する（ステップＳ２４）。
制御部１４は、送信されたＪＡＮコード６４と店舗コード６６に対応する発信部１１−ｎの設置位置情報７１と商品の陳列位置情報８１を各データベース１２、１３から抽出して（ステップＳ２５）、携帯電話２０へ送信する（ステップＳ２６）。制御手段２１は、送信された陳列位置情報８１の座標データに基づいて、陳列棚や階段等の店舗レイアウトを示す図形とともに商品の陳列位置を表示手段２６へ表示する（ステップＳ２７）。一方、設置位置情報７１はメモリ２２に格納する（ステップＳ２８）。
【００４７】
次いで、入店したユーザ２０ａが所定のキーを押下すると、制御手段２１はナビゲーションを開始し（図８のステップＳ３１）、各発信部１１−ｎに対して微弱電波を発信する（ステップＳ３２）。各発信部１１−ｎは携帯電話２０からの微弱電波を受けて起動し（ステップＳ３３）、ＩＤ情報を発信する（ステップＳ３４）。携帯電話２０が発信部１１−ｎの発信エリア内に入ると、制御手段２１はその発信部のＩＤ情報を受信する（ステップＳ３５）。すると、制御手段２１は、メモリ２２に格納された設置位置情報７１を検索して、受信したＩＤ情報に対応する発信部１１−ｎの設置位置情報７１を取得し（ステップＳ３６）、その座標データを現在位置として表示手段２６に表示する（ステップＳ３７）。
なお、ステップＳ３５で、制御手段２１が同時に２つ以上のＩＤ情報を受信した場合は、それらの座標の中点を現在位置として採用する。
【００４８】
さらに、制御手段２１は現在位置の座標と、表示されている商品の陳列位置の座標の各Ｘ、Ｙ値を比較して現在位置からの商品の陳列位置に対するベクトルを算出し（ステップＳ３８）、そのベクトルの示す方向の矢印を現在位置に付加して表示手段２６に表示する（ステップＳ３９）。ユーザ２０ａは、端末に表示された矢印の方向にしたがって店内を進み、商品の陳列位置を目指す。以後、ステップＳ３２〜ステップＳ３９の動作を繰り返され、表示が更新される。
そして、現在位置の座標が商品の陳列位置の座標と一致、あるいは現在位置の座標が商品の陳列位置の座標の所定の範囲内に入った場合に（ステップＳ４０）、制御手段２１は到着の旨を表示してナビゲーションを終了する（ステップＳ４１）。ユーザ２０ａは端末上に表示された到着情報に基づいて実際に陳列棚の商品を確認する。
【００４９】
図９は表示手段２６に表示されたナビゲーション画面の態様を例示した図で、符号１００は店舗の外形、１０１〜１０４は店舗内の陳列棚、１０５は階段、１１０は現在位置、１２０は商品の陳列位置、１３０は現在位置１１０から商品の陳列位置１２０へ向かう方向を表す矢印である。ナビゲーション中は、ユーザ２０ａ（携帯電話２０）の進行に応じて現在位置１１０と矢印１３０の表示が随時更新され（図９（ａ））。ユーザ２０ａが商品の場所に到着すると、現在位置１１０と商品の陳列位置１２０が重なって表示され、到着を示すメッセージ１４０が表示される（図９（ｂ））。
【００５０】
なお、上記実施形態では、通信端末が携帯電話の場合について説明しているが、通信可能なＰＤＡ（Personal Digital Assistants：個人用情報機器）と称される携帯型の端末であってもよく、この場合、携帯電話に比べて表示画面が大きく、より多くの情報を一度に表示することができ、端末のユーザにより見やすくナビゲーション情報を提示することができる。
【００５１】
また、ナビゲーション情報を複数のページに分割して表示し、ユーザの進行にあわせて自動的にページを切り替えて表示するようにすることで、店舗が大きな場合に携帯電話のような小さな表示画面でも表示がつぶれて見づらくなることなく端末のユーザにナビゲーション情報を提示することができる。
【００５２】
また、通信端末では、最新の現在位置情報と直近の現在位置情報とから、さらに通信端末の移動方向を算出してその方向を表示するようにしてもよい。これにより、商品の陳列位置の方向とともに現在の進行方向が端末に表示されるので、ユーザは自分自身が商品に向かって正しく進んでいるかどうかを容易に知ることができ、間違った方向へ進むことを未然に防ぐことができ、より迅速に商品の陳列場所にたどり着くことができる。
【００５３】
また、ナビゲーション情報提供システムに店舗情報に応じた店舗の位置情報（例えば緯度、経度）を通信端末へ送信する機能と、通信端末にＧＰＳ（Global Positioning System）衛星からの測位情報に基づいて現在位置（例えば緯度、経度）を算出し、目的地（緯度、経度）へのナビゲーションを行う機能とを設けることで、ナビゲーション情報提供システムから送信される店舗の位置を目的地として設定すれば、その店舗へのナビゲーション情報が端末上に表示されるので、端末のユーザは表示されたナビゲーション情報により、迷うことなく目的の店舗へ向かうことができる。
【図面の簡単な説明】
【００５４】
【図１】本発明の一実施形態によるナビゲーションシステムの構成を示すブロック図である。
【図２】折り込み広告の掲載内容の一例を示す図である。
【図３】発信部位置データベース１２のデータの一例を示す図である。
【図４】商品位置データベース１３のデータの一例を示す図である。
【図５】店舗毎に設定された座標系の一例を示す図である。
【図６】本実施形態の動作を示したシーケンス図である。
【図７】図６に続く図である。
【図８】図７に続く図である。
【図９】ナビゲーション画面の一例を示す図である。
【符号の説明】
【００５５】
１０…ナビゲーション情報提供システム
１１−ｎ（ｎ＝１、２、・・・）…発信部
１２…発信部位置データベース
１３…商品位置データベース
１４…制御部
２０…通信端末
２１…制御手段（識別情報受信手段、商品情報送信手段、位置情報受信手段、現在位置算出手段、ナビゲーション情報生成手段、在庫情報受信手段、店舗情報送信手段、第２の現在位置算出手段、第２のナビゲーション情報生成手段）
２５…入力手段
２６…表示手段
６４…ＪＡＮコード（商品情報）
６６…店舗コード（店舗情報）
７１…設置位置情報
８１…陳列位置情報
【図１】
2006268877.tif 000003
【図２】
2006268877.tif 000004
【図３】
2006268877.tif 000005
【図４】
2006268877.tif 000006
【図５】
2006268877.tif 000007
【図６】
2006268877.tif 000008
【図７】
2006268877.tif 000009
【図８】
2006268877.tif 000010
【図９】
2006268877.tif 000011
【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
店舗の複数箇所に設置され、近傍領域に識別情報を発信する複数の発信部の設置位置情報を、店舗毎に記憶する発信部位置データベースと、前記店舗における商品の陳列位置情報を記憶する商品位置データベースとを備えるサーバと、
通信端末から送信される店舗情報及び商品情報に基づいて、前記店舗情報に対応する店舗における前記商品情報に対応する商品の陳列位置情報を前記商品位置データベースから抽出するとともに、前記店舗情報に対応する店舗における前記複数の発信部の設置位置情報を前記発信部位置データベースから抽出し、抽出した前記商品の陳列位置情報と前記発信部の設置位置情報とを前記通信端末へ送信する制御部と、
を備えたことを特徴とするナビゲーション情報提供システム。
【請求項２】
前記制御部は、前記通信端末より送信される前記店舗情報及び前記商品情報に基づいて、前記店舗情報に対応する店舗における前記商品情報に対応する商品の在庫を確認し、該在庫の有無を前記通信端末へ送信することを特徴とする請求項１に記載のナビゲーション情報提供システム。
【請求項３】
前記制御部は、前記在庫の有無の確認の結果、当該在庫がなかった場合、他の店舗における当該商品の在庫の有無を確認することを特徴とする請求項２に記載のナビゲーション情報提供システム。
【手続補正３】
【補正対象書類名】明細書
【補正対象項目名】０００１
【補正方法】変更
【補正の内容】
【０００１】
本発明は、ナビゲーションシステムに係わり、特に、店舗内における商品の陳列場所へのナビゲーションに好適なナビゲーション情報提供システムに関する。
【手続補正４】
【補正対象書類名】明細書
【補正対象項目名】０００５
【補正方法】変更
【補正の内容】
【０００５】
本発明は、上記問題点に鑑みてなされたもので、店舗内を無駄に歩き回ることなく、通信端末を有するユーザが目的の商品を容易に見つけることのできるナビゲーション情報提供システムを提供することを目的とする。
【手続補正５】
【補正対象書類名】明細書
【補正対象項目名】０００６
【補正方法】変更
【補正の内容】
【０００６】
上記目的を達成するために、本発明のナビゲーション情報提供システムは、店舗の複数箇所に設置され、近傍領域に識別情報を発信する複数の発信部の設置位置情報を、店舗毎に記憶する発信部位置データベースと、前記店舗における商品の陳列位置情報を記憶する商品位置データベースとを備えるサーバと、通信端末から送信される店舗情報及び商品情報に基づいて、前記店舗情報に対応する店舗における前記商品情報に対応する商品の陳列位置情報を前記商品位置データベースから抽出するとともに、前記店舗情報に対応する店舗における前記複数の発信部の設置位置情報を前記発信部位置データベースから抽出し、抽出した前記商品の陳列位置情報と前記発信部の設置位置情報とを前記通信端末へ送信する制御部と、を備えたことを特徴とする。
【手続補正６】
【補正対象書類名】明細書
【補正対象項目名】０００８
【補正方法】変更
【補正の内容】
【０００８】
また、本発明のナビゲーション情報提供システムは、上記発明において、前記制御部は、前記通信端末より送信される前記店舗情報及び前記商品情報に基づいて、前記店舗情報に対応する店舗における前記商品情報に対応する商品の在庫を確認し、該在庫の有無を前記通信端末へ送信することを特徴とする。
【手続補正７】
【補正対象書類名】明細書
【補正対象項目名】００１０
【補正方法】削除
【補正の内容】
【手続補正８】
【補正対象書類名】明細書
【補正対象項目名】００１２
【補正方法】変更
【補正の内容】
【００１２】
また、本発明のナビゲーション情報提供システムは、上記発明において、前記制御部は、前記在庫の有無の確認の結果、当該在庫がなかった場合、他の店舗における当該商品の在庫の有無を確認することを特徴とする。
【手続補正９】
【補正対象書類名】明細書
【補正対象項目名】００１４
【補正方法】変更
【補正の内容】
【００１４】
この発明によれば、制御部が店舗の位置情報を通信端末に送信するので、通信端末では、店舗の位置情報を端末に表示することが可能となり、ユーザに店舗の位置情報を提示することができる。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
本発明のナビゲーション情報提供システムによれば、通信端末から商品情報を受信すると、制御部が商品情報に対応する商品の陳列位置情報及び発信部の設置位置情報を通信端末へ送信するので、通信端末では、当該識別情報と設置位置情報とから現在位置情報の算出が可能となり、現在位置情報と陳列位置情報との比較から現在位置から商品の陳列位置へのナビゲーション情報を生成することが可能となる。
したがって、通信端末を有するユーザを商品の陳列位置までナビゲーションすることができ、ユーザは商品の陳列場所が分からない初めての店舗や大規模な店舗でも迷うことなく希望の商品を容易に見つけることができる。
【手続補正１９】
【補正対象書類名】明細書
【補正対象項目名】００２４
【補正方法】変更
【補正の内容】
【００２４】
また、ユーザは事前に希望の商品の在庫の有無を知ることができ、商品が売り切れているのを知らずに店舗に出向いてしまうといった不利益を被ることがなくなる。
【手続補正２０】
【補正対象書類名】明細書
【補正対象項目名】００２５
【補正方法】変更
【補正の内容】
【００２５】
また、ユーザは複数の店舗で希望の商品が取り扱われている場合でも、最寄りの店舗における商品の在庫を迅速に確認することができる。
【手続補正２１】
【補正対象書類名】明細書
【補正対象項目名】００２６
【補正方法】変更
【補正の内容】
【００２６】
また、ユーザは最寄りの店舗に希望の商品の在庫がない場合でも、その商品の他店舗における在庫の有無を容易に確認することができ、他店舗に在庫がある場合には、その店舗に出向いてその商品を購入することができる。
【手続補正２２】
【補正対象書類名】明細書
【補正対象項目名】００２７
【補正方法】変更
【補正の内容】
【００２７】
また、ユーザは端末上に表示された店舗の位置情報に従い、初めての店舗でも迷うことなく、その店舗に容易に行くことができる。
【手続補正２３】
【補正対象書類名】明細書
【補正対象項目名】００２８
【補正方法】変更
【補正の内容】
【００２８】
また、ユーザは商品の陳列場所が分からない初めての店舗や大規模な店舗でも迷うことなく希望の商品を容易に見つけることができる。
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】